(57)【要約】【課題】紙の手帳の利便性を損なうことなく、情報漏洩に対するセキュリティを確保する【解決手段】手帳５を開くことができないように表表紙２００側の面と裏表紙４００側の面とを結合する施錠機構１１０と、施錠機構１１０の施錠状態を電気的に制御する施錠状態制御部１１２４と、認証情報を記憶する認証情報記憶部１１２２と、認証情報と照合される被認証情報を取得する被認証情報取得部１１２３とを備え、施錠状態制御部１１２４は、被認証情報と、認証情報記憶部１１２２から入力される認証情報とを照合し、その照合の結果に応じて施錠機構１１０の施錠状態を制御するようにする。【選択図】図１Ｂ
2011156761.tif 000002
【特許請求の範囲】
【請求項１】
手帳に装着して用いられる施錠機能付き手帳カバーであって、
手帳を開くことができないように表表紙側の面と裏表紙側の面とを結合する施錠機構と、
前記施錠機構の施錠状態を電気的に制御する施錠状態制御部と、
認証情報を記憶する認証情報記憶部と、
前記認証情報と照合される被認証情報を取得する被認証情報取得部と  
を備え、
前記施錠状態制御部は、前記被認証情報と、前記認証情報記憶部から入力される前記認証情報とを照合し、その照合の結果に応じて前記施錠機構の施錠状態を制御する
ことを特徴とする施錠機能付き手帳カバー。
【請求項２】
請求項１に記載の施錠機能付き手帳カバーであって、
所定の送信電界強度に設定され、手帳カバーごとに付与される識別子を含んだ無線信号を送信する無線信号送信部を備える
ことを特徴とする施錠機能付き手帳カバー。
【請求項３】
請求項１に記載の施錠機能付き手帳カバーであって、
警告音を出力する警告音出力部と、
外部から送られてくる特定の無線信号を受信する無線信号受信部と、
前記無線信号の電界強度を測定する信号強度測定部と、
前記信号強度測定部により測定された前記無線信号の電界強度が予め設定されている値以下となった場合に前記警告音出力部から警告音を出力する報知制御部と
を備える
ことを特徴とする施錠機能付き手帳カバー。
【請求項４】
請求項１に記載の施錠機能付き手帳カバーであって、
ＩＣカードの読取機構を備え、
前記認証情報記憶部は、前記読取機構を介してＩＣカードから前記認証情報を取得する
ことを特徴とする施錠機能付き手帳カバー。
【請求項５】
請求項１に記載の施錠機能付き手帳カバーであって、
ユーザの操作入力を受け付ける操作入力部を備え、
前記認証情報記憶部は、前記操作入力部を介してユーザから前記認証情報を取得する
ことを特徴とする施錠機能付き手帳カバー。
【発明の詳細な説明】
【技術分野】
【０００１】
本発明は、施錠機能付き手帳カバーに関し、とくに紙の手帳の利便性を損なうことなく、情報漏洩に対するセキュリティを確保できるようにするための技術に関する。
【背景技術】
【０００２】
電池切れの心配がなく、煩雑な操作を覚える必要もないといった利便性から、電子化が進む今日においてもスケジュール管理などに紙の手帳を愛用する者は依然として多い。しかし紙の手帳は記載内容の漏洩に対する何らの対策も施されていないので、紛失時や盗難時における安全確保が問題となる。
【０００３】
紛失時や盗難時における安全を確保する技術に関し、例えば特許文献１には、ケースの開口部を閉鎖するカバーを備え、カバーをケースに対して閉鎖状態にロックし、ケース又はカバーの表面で指紋を入力し、入力される指紋に基づき事前登録された利用者の指紋と照合してパターン認識による指紋認証を行う指紋認証式鍵付きケースについて開示されている。
【先行技術文献】
【特許文献】
【０００４】
【特許文献１】特開２００３−７４２３９号公報
【発明の概要】
【発明が解決しようとする課題】
【０００５】
上記特許文献１に記載された指紋認証式鍵付きケースは、手帳をケース内に完全に収容する構成になっており、手帳の利用に際して手帳をケースからいちいち出し入れしなければならず面倒である。また紙の手帳をケースから取り出した際はケースが手帳と別体となるため、ケースを手帳と別に管理しておく必要がある。またケースを別途管理しなければならないことでケースを紛失してしまう確率も高くなる。
【０００６】
本発明はこのような背景に鑑みてなされたもので、紙の手帳の利便性を損なうことなく、情報漏洩に対するセキュリティを確保することができる施錠機能付き手帳カバーを提供することを目的とする。
【課題を解決するための手段】
【０００７】
上記の課題を解決するための本発明の一つは、
手帳に装着して用いられる施錠機能付き手帳カバーであって、
手帳を開くことができないように表表紙側の面と裏表紙側の面とを結合する施錠機構と、
前記施錠機構の施錠状態を電気的に制御する施錠状態制御部と、
認証情報を記憶する認証情報記憶部と、
前記認証情報と照合される被認証情報を取得する被認証情報取得部と  
を備え、
前記施錠状態制御部は、前記被認証情報と、前記認証情報記憶部から入力される前記認証情報とを照合し、その照合の結果に応じて前記施錠機構の施錠状態を制御するものである。
【０００８】
このように、本発明にあっては、紙の手帳を保護又は装飾する手帳カバーに指紋情報等の被認証情報の入力によって施錠状態を制御可能な施錠機構を設けるようにしたので、手帳の利便性を損なうことなく、情報漏洩に対するセキュリティを確保することができる。また手帳カバーであるので特許文献１に記載のケースのように手帳の利用時において手帳と別体になることもなく、紛失等する可能性も少ない。
【０００９】
本発明のうちの他の一つは、上記手帳カバーであって、所定の送信電界強度に設定され、手帳カバーごとに付与される識別子を含んだ無線信号を送信する無線信号送信部を備えることとする。
【００１０】
例えば手帳の所有者に無線信号の受信強度が予め設定されている閾値以下となったことを検知して警告（メッセージや警告音等）を出力する装置（例えば携帯電話機にそのような機能をもたせる）を別途所持させるようにすることで、手帳の紛失や盗難等を確実に防ぐことができる。また無線信号に識別子を含ませることにより、複数人が近接して手帳カバー同時に使用するような場合に生じうる誤動作を防ぐことができる。
【００１１】
本発明のうちの他の一つは、上記手帳カバーであって、警告音を出力する警告音出力部と、外部から送られてくる特定の無線信号を受信する無線信号受信部と、前記無線信号の電界強度を測定する信号強度測定部と、前記信号強度測定部により測定された前記無線信号の電界強度が予め設定されている値以下となった場合に前記警告音出力部から警告音を出力する報知制御部とを備えることとする。
【００１２】
本発明によれば、例えば手帳の所有者に上記無線信号受信部に受信させる上記無線信号を送信する装置（例えば携帯電話機にそのような機能をもたせる）を所持させるようにすることで、手帳の紛失や盗難等を確実に防ぐことができる。
【００１３】
本発明のうちの他の一つは、上記手帳カバーであって、ＩＣカードの読取機構を備え、前記認証情報記憶部は、前記読取機構を介してＩＣカードから前記認証情報を取得する。このように、ＩＣカードの情報を認証情報（被認証情報）として利用できるようにすれば、ユーザの利便性をさらに向上することができる。
【００１４】
本発明のうちの他の一つは、上記手帳カバーであって、ユーザの操作入力を受け付ける操作入力部を備え、前記認証情報記憶部は、前記操作入力部を介してユーザから前記認証情報を取得する。このように、認証情報（被認証情報）は操作入力部を介してユーザから取得するようにしてもよい。
【００１５】
その他、本願が開示する課題、及びその解決方法は、発明を実施するための形態の欄、及び図面により明らかにされる。
【発明の効果】
【００１６】
本発明によれば、紙の手帳の利便性を損なうことなく、情報漏洩に対するセキュリティを確保することができる。
【図面の簡単な説明】
【００１７】
【図１Ａ】手帳カバー１００の外観図である。
【図１Ｂ】手帳カバー１００の詳細な構成を示す図である。
【図２】認証装置１１２のハードウエア構成を示す図である。
【図３】認証装置１１２が備える機能を示す図である。
【図４】認証情報登録処理Ｓ４００を説明するフローチャートである。
【図５】認証処理Ｓ５００を説明するフローチャートである。
【発明を実施するための形態】
【００１８】
以下、実施の形態について図面を参照しつつ説明する。図１Ａ及び図１Ｂに、実施の形態として説明する、紙の手帳５に装着して用いられる手帳カバー１００の構成を示している。このうち図１Ａは手帳カバー１００の外観を示しており、図１Ｂは手帳カバーのより詳細な構成を示している。手帳カバー１００は、布や樹脂等のシート状の素材からなる。
【００１９】
図１Ａに示すように、手帳カバー１００は、施錠機構１１０、表表紙２００、背表紙３００、裏表紙４００、略矩形状のベルト５００、及び指紋情報取得装置１２０（操作入力部）を備えている。表表紙２００の裏面には、手帳５の表表紙が装着される袖２０１が設けられている。また裏表紙４００の裏面には、手帳５の裏表紙が装着される袖４０１が設けられている。
【００２０】
図１Ａに示すように、施錠機構１１０は、ベルト５００の裏面側に設けられている第１連結部１１０（１）と、表表紙２００の表面側に設けられている第２連結部１１０（２）とを含む。施錠機構１１０は、手帳５が閉じている状態において、手帳５を開いて手帳５の中身を覗き見ることができないように、手帳５の表表紙側の面と裏表紙側の面とを結合する。より具体的には、施錠機構１１０は、外部から施錠状態を電気的に制御可能な機械式の機構からなり、例えば第１連結部１１０（１）側に鍵状部を有し、第２連結部１１０（２）側に鍵受部を有する。
【００２１】
指紋情報取得装置１２０は、ユーザの指紋を光学的に読み取り、読み取った情報をデジタル信号に変換して出力する。指紋情報取得装置１２０は、例えば、表表紙２００や裏表紙４００、ベルト５００等のユーザが操作し易い位置に設けられる。尚、本実施形態では、ユーザの認証方法として指紋認証を用いているが、認証方法は、掌形、網膜、虹彩、血管、声紋等の他の生体認証技術を用いたものでもよい。また認証方法は、キーボードやマウス等から取得したユーザＩＤやパスワードを利用する方法、ＩＣカードから読み取った個人情報を利用する方法等、生体認証以外のものでもよい。
【００２２】
図１Ｂに示すように、手帳カバー１００は、二次電池１３１、太陽電池１３２（発電装置）、補助電池１３３、出力装置１２５、及び認証装置１１２を備えている。これらは例えば薄肉の素子や回路基板を用いて構成されており、接着や縫製等によって手帳カバー１００の素材の表面や内側の所定位置に設けられている。
【００２３】
同図に示すように、認証装置１１２は、信号線１４１〜１４３を介して、指紋情報取得装置１２０、第１連結部１１０（１）、及び出力装置１２５と接続している。認証装置１１２、指紋情報取得装置１２０、出力装置１２５、及び第１連結部１１０（１）には、二次電池１３１、太陽電池１３２、又は補助電池１３３から駆動電力の供給を受けるための電源供給線（不図示）が接続されている。
【００２４】
二次電池１３１は、太陽電池１３２が発電した電力を蓄電する。補助電池１３３は、太陽電池１３２又は二次電池１３１の供給電力が不足する場合に太陽電池１３２に代替して認証装置１１２、指紋情報取得装置１２０、出力装置１２５、及び第１連結部１１０（１）に駆動電力を供給する。出力装置１２５は、例えば液晶パネルや有機ＥＬパネル、スピーカ、バイブレータ等である。
【００２５】
図２に認証装置１１２のハードウエア構成を示している。認証装置１１２は、指紋情報取得装置１２０から入力される情報に基づき施錠機構１１０の施錠状態を制御する。同図に示すように、認証装置１１２は、プロセッサ５１、メモリ５２、及び通信装置５３を備える。このうちプロセッサ５１は、ＣＰＵ（Central Processing Unit）やＭＰＵ（Micro Processing Unit）等を用いて構成される。メモリ５２は、ＲＡＭ（Random Access Memory）やＲＯＭ（Read Only Memory）を用いて構成される。通信装置５３は、指紋情報取得装置１２０、及び第１連結部１１０（１）と通信する。
【００２６】
図３に認証装置１１２が備える機能を示している。同図に示すように、認証装置１１２は、認証情報登録部１１２１、認証情報記憶部１１２２、被認証情報取得部１１２３、及び施錠状態制御部１１２４の各機能を備える。これらの機能は、プロセッサ５１がメモリ５２に格納されているプログラムを読み出して実行することにより実現される。
【００２７】
認証情報登録部１１２１は、指紋情報取得装置１２０から入力される認証情報を取得して認証情報記憶部１１２２に記憶する。認証情報は事前登録情報であり、ユーザは手帳カバー１００の使用開始前等に予め手帳カバー１００に認証情報を登録しておく。認証情報記憶部１１２２は、認証情報登録部１１２１が取得した認証情報を記憶する。
【００２８】
被認証情報取得部１１２３は、指紋情報取得装置１２０からの指紋情報の入力の有無をリアルタイムに監視し、指紋情報が入力されたこと（例えば指紋情報取得装置１２０の光学読取部分に触れたこと）を検知すると被認証情報を取得する。
【００２９】
施錠状態制御部１１２４は、被認証情報取得部１１２３が取得した認証情報を、事前登録されて認証情報記憶部１１２２に記憶されている認証情報と照合し、その照合の結果に応じて施錠機構１１０の施錠状態を制御する。
【００３０】
＝処理説明＝
＜認証情報の登録＞
図４は、手帳カバー１００を利用するユーザが前述の事前登録を行う際に、認証装置１１２によって行われる処理（以下、認証情報登録処理Ｓ４００と称する。）を説明するフローチャートである。同図に示すように、まず認証情報登録部１１２１は、指紋情報取得装置１２０から認証情報を取得し（Ｓ４０１）、認証情報記憶部１１２２に認証情報を記憶する（Ｓ４０２）。これにより事前登録が完了する。
【００３１】
＜施錠／解錠の制御＞
ユーザは、認証情報の事前登録がされた手帳カバー１００を紙の手帳５に装着し、指紋情報取得装置１２０の光学読取部分に指を当てて指紋情報（被認証情報）を入力することにより、施錠機構１１０の施錠状態（施錠／解錠）を操作する。
【００３２】
図５はユーザが施錠機構１１０の施錠状態を変更する際に認証装置１１２が行う処理（以下、認証処理Ｓ５００と称する。）を説明するフローチャートである。以下、同図とともに認証処理Ｓ５００について説明する。
【００３３】
被認証情報取得部１１２３は、指紋情報取得装置１２０からの指紋情報の入力有無をリアルタイムに監視している（Ｓ５０１）。被認証情報取得部１１２３は、指紋情報の入力を検知すると、入力された指紋情報を被認証情報として取得し、施錠状態制御部１１２４に入力する（Ｓ５０２）。
【００３４】
施錠状態制御部１１２４は、入力された被認証情報を、認証情報記憶部１１２２が記憶している認証情報と照合する（Ｓ５０３）。照合に成功すれば（被認証情報＝認証情報）（Ｓ５０３：ＹＥＳ）、Ｓ５０５に進む。照合に失敗すれば（被認証情報≠認証情報）（Ｓ５０３：ＮＯ）、施錠状態制御部１１２４は、認証に失敗した旨を示す情報（エラーメッセージ、警告音等）を出力装置１２５から出力し（Ｓ５０４）、その後はＳ５０１に戻る。
【００３５】
Ｓ５０５では、施錠状態制御部１１２４は、施錠機構１１０の現在の施錠状態が「施錠」であるのか「解錠」であるのかを判断する。この判断は、例えば施錠状態を変更した際にメモリ５２に当該変更後の施錠状態を記憶しておき、上記判断時にその内容を取得することにより行う。現在の施錠状態が「施錠」であれば（Ｓ５０５：施錠）、Ｓ５０６に進み、「解錠」であれば（Ｓ５０５：解錠）、Ｓ５０７に進む。
【００３６】
Ｓ５０６では、施錠状態制御部１１２４は、施錠機構１１０の施錠状態を「解錠」に変更し、その後はＳ５０８に進む。一方、Ｓ５０７では、施錠状態制御部１１２４は、施錠機構１１０の施錠状態を「施錠」に変更し、その後はＳ５０８に進む。
【００３７】
Ｓ５０８では、施錠状態制御部１１２４は、施錠状態を変更した旨を示す情報（施錠状態を変更した旨のメッセージや制御音）を出力装置１２５から出力し、その後はＳ５０１に戻る。
【００３８】
以上に説明したように、本実施形態の手帳カバー１００によれば、指紋情報等の被認証情報を入力するという簡単な操作で施錠状態を制御することができ、ユーザは手帳５を開くことができる状態と開くことができない状態との変更を容易に行うことができる。このため、紙の手帳５本来の利便性を損なうことなく、情報漏洩に対するセキュリティを確保することができる。また本実施形態の手帳カバー１００は、紙の手帳５に装着するだけで利用することができ、また手帳５の利用時においても手帳５と別体にならないので紛失等の可能性も少ない。
【００３９】
ところで、以上に説明した実施の形態は、本発明の理解を容易にするためのものであり、本発明を限定するものではない。本発明は、その趣旨を逸脱することなく、変更、改良され得ると共に、本発明にはその等価物が含まれることは勿論である。
【００４０】
例えば、手帳カバー１００に無線通信装置（以下、第１無線通信装置と称する。）を設け、第１無線通信装置とユーザが別途所持する無線通信装置（以下、第２無線通信装置と称する。）との間で無線信号を随時送受信し、第２無線通信装置が第１無線通信装置からの無線信号の受信電界強度が予め設定されている閾値以下となったことを検知した場合に警告（メッセージや警告音等）を出力するようにしてもよい。尚、第２無線通信装置の機能を例えば携帯電話機に搭載するようにすれば、専用の装置を別途所持する必要がなく便利である。
【００４１】
また上記構成とは送受信の関係を逆にして、第１無線通信装置が第２無線通信装置からの無線信号の受信強度が予め設定されている閾値以下となったことを検知して出力装置１２５に警告（メッセージや警告音等）を出力するようにしてもよい。このようにすれば、手帳５の紛失や盗難等を確実に防ぐことができる。また、手帳５の置き忘れを防ぐこともできる。
【００４２】
また第１無線通信装置又は第２無線通信装置に、上記無線信号の信号強度（送信電界強度）を調節するためのユーザインタフェースを設けるようにすれば、ユーザは警告を報知して欲しい距離（手帳カバー１００と自分との間の距離）を任意に設定することができる。また無線信号に手帳カバー１００ごとの識別子を含ませて手帳カバー１００を特定できるようにすれば、複数人が近接して手帳カバー１００を同時に使用するような場合においても誤動作を確実に防ぐことができる。尚、第１無線通信装置と第２無線通信装置との間の無線通信の仕組みとしてＩＣタグとそのリーダ装置との間の通信の仕組みを用いてもよい。
【００４３】
また以上に説明した実施形態では、認証情報（又は被認証情報）として生体情報等を用いているが、例えば手帳カバー１００にＩＣカード（キャッシュカードやクレジットカード、電子マネー、定期券等）の読取装置を設け、ＩＣカードに記録されている被認証情報を読取装置により読み取り、読み取った被認証情報を予めメモリ５２に記憶しておいた認証情報と比較照合するようにしてもよい。またこの場合、ＩＣカードに記録されている情報（残高、入集金履歴、乗車履歴等）を、手帳カバー１００が備えるハードウエアを介して適宜参照できるようにしてもよい。このようにすれば、手帳カバー１００に様々な機能が集約されて多目的に活用することができ、ユーザの利便性をより一層向上することができる。
【００４４】
施錠機構１１０の構成は前述したものに限られない。例えば第１連結部１１０（１）と第２連結部１１０（２）とを電磁石の作用を利用して強固に結合する仕組みを採用することもできる。
【００４５】
また第三者が手帳カバー１００を無理に捲って手帳５を横から覗き見るのを防ぐべく、表表紙２００、背表紙３００、及び裏表紙４００の周縁部に剛性の高い素材からなるフレーム等の覗き見防止のための機構を設けるようにしてもよい。
【００４６】
手帳カバー１００に公衆無線通信回線に接続可能な無線通信装置を設け、照合の失敗（図５のＳ５０３：ＮＯ）が連続して複数回行われた場合にその旨を示す信号やメッセージ（電子メール等）を予め設定された宛先に送信するようにしてもよい。そのようにすれば、紛失時等において第三者が手帳カバー１００に不正な操作を行っていることを手帳５の所有者に知らせることができる。またこの場合、例えば上記報知信号に手帳カバー１００からの無線信号を受信した公衆無線通信回線の基地局の識別子を付帯させるようにすれば、ユーザは紛失した手帳カバー１００の所在を特定することができる。
【符号の説明】
【００４７】
５  手帳
５１  プロセッサ
５２  メモリ
５３  通信装置
１００  手帳カバー
１１０  施錠機構
１１０（１）  第１連結部
１１０（２）  第２連結部
１１２  認証装置
１２０  指紋情報取得装置
１２５  出力装置
１３１  二次電池
１３２  太陽電池
１３３  補助電池
１４１〜１４３  信号線
２００  表表紙
２０１  袖
３００  背表紙
４００  裏表紙
４０１  袖
５００  ベルト
１１２１  認証情報登録部
１１２２  認証情報記憶部
１１２３  被認証情報取得部
１１２４  施錠状態制御部
【図１Ａ】
2011156761.tif 000003
【図１Ｂ】
2011156761.tif 000004
【図２】
2011156761.tif 000005
【図３】
2011156761.tif 000006
【図４】
2011156761.tif 000007
【図５】
2011156761.tif 000008